(57)【要約】      （修正有）【課題】持ち運びや洗濯等が容易な敷布団を提供する。【解決手段】敷布団１を長手方向に沿って複数に分割し、各分割部分２をクッション芯材と、上記クッション芯材を収容する袋状カバーとによって構成し、上記袋状カバーは上記クッション芯材を出し入れするために開閉手段６を付した開口部５を一方または両方の側縁に有する敷布団１を提供する。【選択図】図１
2012165898.tif 000002
【特許請求の範囲】
【請求項１】
敷布団を長手方向に沿って複数に分割し、
各分割部分をクッション芯材と、上記クッション芯材を収容する袋状カバーと、によって構成し、
上記袋状カバーは上記クッション芯材を出し入れするために開閉手段を付した開口部を一方または両方の側縁に有する
ことを特徴とする敷布団。
【請求項２】
上記クッション芯材はクッション材と、上記クッション材を被覆する芯材カバーと、からなる請求項１に記載の敷布団。
【請求項３】
上記袋状カバーの開口部の開閉手段は線ファスナーである請求項１または２に記載の敷布団。
【請求項４】
上記線ファスナーは覆い布によって被覆されている請求項３に記載の敷布団。
【請求項５】
上記敷布団は３つに分割されている請求項１〜請求項４のいずれか１項に記載の敷布団。
【発明の詳細な説明】
【技術分野】
【０００１】
本発明は複数の分割部分からなる敷布団に関するものである。
【背景技術】
【０００２】
従来の敷布団は、一般に綿、軟質ポリウレタン発泡体等のクッション材をカバーで被覆した構成を有するが、容量、重量が大であり、持ち運び、カバーの洗濯、乾燥等に労力を要し、特に高齢者、子供、あるいは身障者にとっては扱いに大きな苦労を伴なっていた。
そこで敷布団を長手方向に二個以上分割した分割部分によって構成することが提案された。
【先行技術文献】
【特許文献】
【０００３】
【特許文献１】実用新案登録第３１５７１６７号公報
【発明の概要】
【発明が解決しようとする課題】
【０００４】
上記提案では上記分割部分の相互をファスナーによって連結するものであるが、各分割部分を覆うカバーから、クッション材を出し入れするための開口部が設定されていない。
【課題を解決するための手段】
【０００５】
本発明は敷布団１を取り扱い易い大きさの複数の分割部分２に分割し、各分割部分２をクッション芯材３と袋状カバー４とからなる構成において、袋状カバー４からクッション芯材３を容易に出し入れすることを課題とするものであり、敷布団１を長手方向に沿って複数に分割し、各分割部分２をクッション芯材３と、上記クッション芯材３を収容する袋状カバー４と、によって構成し、上記袋状カバー４は上記クッション芯材３を出し入れするために開閉手段６を付した開口部５を一方または両方の側縁に有する敷布団１を提供するものである。
一般に、上記クッション芯材３はクッション材７と、上記クッション材７を被覆する芯材カバー８と、からなり、上記袋状カバー４の開口部５の開閉手段６は線ファスナーであることが望ましく、更に上記線ファスナーは覆い布９によって被覆されていることが望ましく、また上記敷布団は３つに分割されていることが望ましい。
【発明の効果】
【０００６】
〔作用〕
各分割部分２は通常使用にあっては長手方向に沿って並べて敷布団１とする。各分割部分２はクッション性があって床あるいは下敷きクッションマット等に密着するから、相互にファスナー等の連結手段によって連結しなくても、相互ずれを生じることはない。
上記敷布団１を敷く時は、布団収納場所から分割部分２を一つずつ取り出して並べ、収納する時は敷いた状態から一つずつ持ち運ぶ。一つの分割部分２は持ち運び易い大きさかつ重さであるから、該敷布団１を敷いたり収納したりすることは容易である。
【０００７】
上記敷布団１を敷いた状態では、図１に示すように分割部分２のクッション芯材３を収容している袋状カバー４の開口部５は側縁に位置するから、該開口部５の開閉手段６が寝ている人の身体に干渉しない。
上記敷布団１を干したり、洗ったり、乾燥したりする時には、各分割部分２単位で行なうので、取り扱いが非常に容易になり、日干しや乾燥も短時間で済む。
【０００８】
上記分割部分２は図２に示すようにクッション芯材３と、該クッション芯材３を被覆する袋状カバー４と、によって構成されているから、該袋状カバー４が汚れた場合には、該袋状カバー４からクッション芯材３を取り出すことによって、該袋状カバー４のみを洗うことが出来る。また汚れた分割部分２のみを取り出して洗うことが出来る。
この場合、上記クッション芯材３を図３に示すようにクッション材７と、該クッション材７を被覆する芯材カバー８と、によって構成しておけば、上記クッション芯材３を上記袋状カバー４から取り出す作業が容易になる。
この際、上記袋状カバー４の開口部５の開閉手段６として、線ファスナー６を選択すると、該線ファスナー６のスライダー６Ａをスライドさせるだけで開口部５の開閉が行なわれる。該線ファスナー６は面ファスナーのように少しの力で開いてしまうことはなく、また袋状カバー４やクッション芯材３、あるいは衣服、寝巻、頭髪等に引っ掛かったりすることもなく、ゴミが付着することもない。
線ファスナー６のエレメント６Ｃやスライダー６Ａは硬質材料からなるが、該袋状カバー４の開口部５は前記のように側縁に配置されているので、該線ファスナー６が寝ている人の身体に干渉することはない。更に該線ファスナー６を覆い布９によって被覆すれば、該線ファスナー６が外部に露出することを防ぐ事ができる。
また、質量が大きな上半身を支える個所の分割部分２はへたり易く、質量が小さな下半身を支える個所の分割部分２はへたりにくいので、上記分割部分２の位置を時々変更することによって、へたりを偏らないようにすることが出来る。
【０００９】
〔効果〕
本発明の敷布団は、上記したように複数の分割部分２に分かれており、該分割部分２の大きさ、重量は非常に取り扱い容易なものとなっているから、敷布団を敷いたり、収納したり、干したり、洗ったり、乾燥したりする作業が極めて容易になるので、特に高齢者、子供、あるいは身障者にとって、更には沢山の敷布団を取扱う介護施設等にとって、非常に大きな貢献をもたらすものである。
【図面の簡単な説明】
【００１０】
【図１】本発明の敷布団の一実施形態を示す斜視図。
【図２】分割部分の説明斜視図。
【図３】クッション芯材の側断面図。
【図４】開口部閉鎖状態説明図。
【図５】開口部開放状態説明図。
【図６】分割部分を物干し竿にかけた状態の説明図。
【図７】本発明の敷布団の別の実施形態を示す斜視図。
【発明を実施するための形態】
【００１１】
本発明を図１〜図６に示す一実施例によって以下に説明する。
図１に示す敷布団１は、長手方向に沿って三つの分割部分２，２，２に分割されている。
各分割部分２は、図２に示すようにクッション芯材３と、該クッション芯材３を収容する袋状カバー４と、からなる。
【００１２】
上記クッション芯材３は、図３に示すように綿、軟質ポリウレタン発泡体のようなクッション材７と、上記クッション材７を被覆する芯材カバー８と、からなり、該芯材カバー８は一般に布からなる。
【００１３】
上記袋状カバーは一般に布からなり、一方の側縁には上記クッション芯材３を出し入れするための開口部５が設けられ、該開口部５は線ファスナー６によって開閉される。
【００１４】
上記線ファスナー６は、ベルト状基材６Ｂ，６Ｂと、スライダー６Ａと、相互噛合する一対のエレメント６Ｃ，６Ｃと、からなり、外部に露出しないように一方の側から差出される覆い布９によって被覆されている。そして上記線ファスナー６はスライダー６Ａのスライドによってエレメント６Ｃ，６Ｃを図４に示すように噛合せしめたり、図５に示すように離開せしめたりして該開口部５を開閉する。
【００１５】
上記敷布団１は図１に示すように床や下敷マット上に敷かれ、その上に人が寝るのであるが、上記袋状カバー４の開口部５は側縁に設けられているので、上記線ファスナー６の硬質材料からなるスライダー６Ａやエレメント６Ｃが寝る人の身体に干渉することはない。
【００１６】
上記敷布団１の分割部分２，２，２はそれぞれ持ち易い大きさおよび重さを有するから、該敷布団１を敷いたり、収納したりする場合には、分割部分２単位で取扱えば、高齢者、子供、身障者であっても楽に出来る。また図６に示すように物干し竿１０等に掛けたり下ろしたりする場合でも、作業が楽に出来る。
【００１７】
更に、該分割部分２の袋状カバー４が汚れた場合には、図２に示すようにクッション芯材３を袋状カバー４から容易に取り出し、上記袋状カバー４のみ、例えば洗濯機によって簡単に洗濯出来る。
【００１８】
図７には、本発明の敷布団１の他の使用態様が示される。本使用態様は、上記敷布団１の巾方向を長手方向にして、二つの分割部分２，２を並べた態様であり、この使用態様では、各分割部分２，２の開口部５，５はそれぞれ外側に配置されるように並べる。
本使用態様は、例えば夏季、昼寝をしたり、体の小さい人が寝る場合等に適用され、開口部５，５が中央部に配置されていないから、線ファスナー６が身体に干渉することはない。
更に子供、幼児向けには、一つの分割部分２のみを使用するが、この場合でも開口部５は前端または後端に配置され、側縁には存在しないから、寝返り等によっても該線ファスナー６が身体に干渉することはない。
上記実施例以外、袋状カバー４の開口部５は分割部分２の両側縁に設けられてもよい。
【００１９】
更に、本発明の敷布団は２あるいは４以上に分割されてもよいが、扱い易い大きさや敷いたり、干したりする手間を考えると３分割が最適である。
【産業上の利用可能性】
【００２０】
本発明の敷布団は、敷いたり、収納したり、干したり、洗ったりする際に、分割部分単位で行なえるので、取り扱いが極めて容易で、高齢者、子供、あるいは身障者にとって、あるいは介護施設等において極めて役に立つものであり、福祉の面からも望ましいものであるから、産業上利用可能である。
【符号の説明】
【００２１】
１            敷布団
２            分割部分
３            クッション芯材
４            袋状カバー
５            開口部
６            線ファスナー（開閉手段）
６Ａ          スライダー
６Ｂ          ベルト状基材
６Ｃ          エレメント
７            クッション材
８            芯材カバー
９            覆い布
１０          物干し竿
【図１】
2012165898.tif 000003
【図２】
2012165898.tif 000004
【図３】
2012165898.tif 000005
【図４】
2012165898.tif 000006
【図５】
2012165898.tif 000007
【図６】
2012165898.tif 000008
【図７】
2012165898.tif 000009